【手続補正書】
【提出日】平成23年9月6日(2011.9.6)
【手続補正１】
【補正対象書類名】特許請求の範囲
【補正対象項目名】全文
【補正方法】変更
【補正の内容】
【特許請求の範囲】
【請求項１】
移動通信システムにおいてＡｃｋｎｏｗｌｅｄｇｅｍｅｎｔ／Ｎｅｇａｔｉｖｅ ａｃｋｎｏｗｌｅｄｇｅｍｅｎｔ（ＡＣＫ／ＮＡＣＫ）情報を送信する方法であって、前記方法は、
２の拡散率を有する直交シーケンスを用いて、第１のＡＣＫ／ＮＡＣＫ情報を拡散することと、
２の拡散率を有する直交シーケンスを用いて、第２のＡＣＫ／ＮＡＣＫ情報を拡散することと、
表１または２：
【表１】
2010530170.tif 000001
【表２】
2010530170.tif 000002
に示されるような形式で複数のアンテナの４つの利用可能な隣接する副搬送波に関する第1および第２のＡＣＫ／ＮＡＣＫ情報を符号化することと
を含み、アンテナＡおよびＢは、前記複数のアンテナの２つのアンテナを表し、
アンテナＣおよびＤは、前記複数のアンテナの２つのアンテナを表し、
ａ１〜ａ２およびｂ１〜ｂ２は、それぞれ、前記拡散ＡＣＫ／ＮＡＣＫ情報の要素に関連し、
前記「＊」というシンボルは、共役演算を表す、方法。
【請求項２】
前記第１の組の４つの利用可能な隣接する副搬送波および前記第２の組の４つの利用可能な隣接する副搬送波は、異なる直交周波数分割多重化（ＯＦＤＭ）シンボルに存在する、請求項１に記載の方法。
【請求項３】
前記第１の組の４つの利用可能な隣接する副搬送波および前記第２の組の４つの利用可能な隣接する副搬送波は、周波数領域内で連続していない、請求項１に記載の方法。
【請求項４】
前記複数のアンテナの４つの利用可能な隣接する副搬送波に関する第３および第４の拡散ＡＣＫ／ＮＡＣＫ情報を符号化することをさらに含み、
前記第１および第２の拡散ＡＣＫ／ＮＡＣＫ情報が、表１に示されるような前記第１の組の４つの利用可能な隣接する副搬送波において符号化され、
前記第３および第４の拡散ＡＣＫ／ＮＡＣＫ情報が、表２に示されるような前記第２の組の４つの利用可能な隣接する副搬送波において符号化され、
前記第１の拡散ＡＣＫ／ＮＡＣＫ情報および前記第３の拡散ＡＣＫ／ＮＡＣＫ情報が、同一の拡散ＡＣＫ／ＮＡＣＫ情報を有し、
前記第２の拡散ＡＣＫ／ＮＡＣＫ情報および前記第４の拡散ＡＣＫ／ＮＡＣＫ情報が、同一の拡散ＡＣＫ／ＮＡＣＫ情報を有する、請求項１に記載の方法。
【請求項５】
前記複数のアンテナの４つの利用可能な隣接する副搬送波に関する第５および第６の拡散ＡＣＫ／ＮＡＣＫ情報を符号化することをさらに含み、
前記第５および第６の拡散ＡＣＫ／ＮＡＣＫ情報が、表３：
【表３】
2010530170.tif 000003
に示されるような第３の組の４つの利用可能な隣接する副搬送波において符号化され、
前記第１の拡散ＡＣＫ／ＮＡＣＫ情報および前記第５の拡散ＡＣＫ／ＮＡＣＫ情報が、同一の拡散ＡＣＫ／ＮＡＣＫ情報を有し、
前記第２の拡散ＡＣＫ／ＮＡＣＫ情報および前記第６の拡散ＡＣＫ／ＮＡＣＫ情報が、同一の拡散ＡＣＫ／ＮＡＣＫ情報を有する、請求項４に記載の方法。
【請求項６】
前記アンテナＡおよびＢは、第１の２つの連続して番号付けされたアンテナであり、前記アンテナＣおよびＤは、第２の２つの連続して番号付けされたアンテナである、請求項１に記載の方法。
【請求項７】
前記アンテナＡおよびＢは、奇数番号が付けられたアンテナであり、前記アンテナＣおよびＤは、偶数番号が付けられたアンテナである、請求項１に記載の方法。
【請求項８】
移動通信システムにおいてＡｃｋｎｏｗｌｅｄｇｅｍｅｎｔ／Ｎｅｇａｔｉｖｅ ａｃｋｎｏｗｌｅｄｇｅｍｅｎｔ（ＡＣＫ／ＮＡＣＫ）情報を受信する方法であって、前記方法は、
４つの利用可能な隣接する副搬送波において第１および第２の拡散ＡＣＫ／ＮＡＣＫ情報を受信することであって、前記第１および第２の拡散ＡＣＫ／ＮＡＣＫ情報は、複数のアンテナを介して、送信端から送信される、ことを含み、
前記第１の拡散ＡＣＫ／ＮＡＣＫ情報は、２の拡散率を有する直交シーケンスを用いて、第１のＡＣＫ／ＮＡＣＫ情報を拡散することから発生し、
前記第２の拡散ＡＣＫ／ＮＡＣＫ情報は、２の拡散率を有する直交シーケンスを用いて、第２のＡＣＫ／ＮＡＣＫ情報を拡散することから発生し、
前記第１および第２の拡散ＡＣＫ／ＮＡＣＫ情報は、表１または２：
【表４】
2010530170.tif 000004
【表５】
2010530170.tif 000005
に示されるような形式で複数のアンテナの４つの利用可能な隣接する副搬送波に関する第1および第２のＡＣＫ／ＮＡＣＫ情報を符号化される状態で前記送信端から送信され、
アンテナＡおよびＢは、前記複数のアンテナの２つのアンテナを表し、
アンテナＣおよびＤは、前記複数のアンテナの２つのアンテナを表し、
ａ１〜ａ２およびｂ１〜ｂ２は、それぞれ、前記拡散ＡＣＫ／ＮＡＣＫ情報の要素に関連し、
前記「＊」というシンボルは、共役演算を表す、方法。
【請求項９】
前記第１の組の４つの利用可能な隣接する副搬送波および前記第２の組の４つの利用可能な隣接する副搬送波は、異なる直交周波数分割多重化（ＯＦＤＭ）シンボルに存在する、請求項８に記載の方法。
【請求項１０】
前記第１の組の４つの利用可能な隣接する副搬送波および前記第２の組の４つの利用可能な隣接する副搬送波は、周波数領域内で連続していない、請求項８に記載の方法。
【請求項１１】
４つの利用可能な隣接する副搬送波に関する第３および第４の拡散ＡＣＫ／ＮＡＣＫ情報を受信することをさらに含み、前記第３および第４の拡散ＡＣＫ／ＮＡＣＫ情報は、前記複数のアンテナを介して、送信アンテナから送信され、
前記第１および第２の拡散ＡＣＫ／ＮＡＣＫ情報が、表１に示されるような前記第１の組の４つの利用可能な隣接する副搬送波において受信され、
前記第３および第４の拡散ＡＣＫ／ＮＡＣＫ情報が、表２に示されるような前記第２の組の４つの利用可能な隣接する副搬送波において受信され、
前記第１の拡散ＡＣＫ／ＮＡＣＫ情報および前記第３の拡散ＡＣＫ／ＮＡＣＫ情報が、同一の拡散ＡＣＫ／ＮＡＣＫ情報を有し、
前記第２の拡散ＡＣＫ／ＮＡＣＫ情報および前記第４の拡散ＡＣＫ／ＮＡＣＫ情報が、同一の拡散ＡＣＫ／ＮＡＣＫ情報を有する、請求項８に記載の方法。
【請求項１２】
４つの利用可能な隣接する副搬送波に関する第５および第６の拡散ＡＣＫ／ＮＡＣＫ情報を受信することをさらに含み、前記第５および第６の拡散ＡＣＫ／ＮＡＣＫ情報は、前記複数のアンテナを介して、前記送信端から送信され、
前記第５および第６の拡散ＡＣＫ／ＮＡＣＫ情報が、表３：
【表６】
2010530170.tif 000006
に示されるような第３の組の４つの利用可能な隣接する副搬送波において受信され、
前記第１の拡散ＡＣＫ／ＮＡＣＫ情報および前記第５の拡散ＡＣＫ／ＮＡＣＫ情報が、同一の拡散ＡＣＫ／ＮＡＣＫ情報を有し、
前記第２の拡散ＡＣＫ／ＮＡＣＫ情報および前記第６の拡散ＡＣＫ／ＮＡＣＫ情報が、同一の拡散ＡＣＫ／ＮＡＣＫ情報を有する、請求項１１に記載の方法。
【請求項１３】
前記アンテナＡおよびＢは、第１の２つの連続して番号付けされたアンテナであり、前記アンテナＣおよびＤは、第２の２つの連続して番号付けされたアンテナである、請求項８に記載の方法。
【請求項１４】
前記アンテナＡおよびＢは、奇数番号が付けられたアンテナであり、前記アンテナＣおよびＤは、偶数番号が付けられたアンテナである、請求項８に記載の方法。
【請求項１５】
移動通信システムにおいてＡｃｋｎｏｗｌｅｄｇｅｍｅｎｔ／Ｎｅｇａｔｉｖｅ ａｃｋｎｏｗｌｅｄｇｅｍｅｎｔ（ＡＣＫ／ＮＡＣＫ）情報を送信するように構成されている装置であって、前記装置は、
無線周波数ユニットと、
プロセッサと
を含み、前記プロセッサは、
２の拡散率を有する直交シーケンスを用いて、第１のＡＣＫ／ＮＡＣＫ情報を拡散することと、
２の拡散率を有する直交シーケンスを用いて、第２のＡＣＫ／ＮＡＣＫ情報を拡散することと、
表１または２：
【表７】
2010530170.tif 000007
【表８】
2010530170.tif 000008
に示されるような形式で複数のアンテナの４つの利用可能な隣接する副搬送波に関する第1および第２のＡＣＫ／ＮＡＣＫ情報を符号化することと
を行うように構成され、アンテナＡおよびＢは、前記複数のアンテナの２つのアンテナを表し、
アンテナＣおよびＤは、前記複数のアンテナの２つのアンテナを表し、
ａ１〜ａ２およびｂ１〜ｂ２は、それぞれ、前記拡散ＡＣＫ／ＮＡＣＫ情報の要素に関連し、
前記「＊」というシンボルは、共役演算を表す、装置。
【請求項１６】
前記第１の組の４つの利用可能な隣接する副搬送波および前記第２の組の４つの利用可能な隣接する副搬送波は、異なる直交周波数分割多重化（ＯＦＤＭ）シンボルに存在する、請求項１５に記載の装置。
【請求項１７】
前記第１の組の４つの利用可能な隣接する副搬送波および前記第２の組の４つの利用可能な隣接する副搬送波は、周波数領域内で連続していない、請求項１５に記載の装置。
【請求項１８】
前記プロセッサは、前記複数のアンテナの４つの利用可能な隣接する副搬送波に関する第３および第４の拡散ＡＣＫ／ＮＡＣＫ情報を符号化するようにさらに構成され、
前記第１および第２の拡散ＡＣＫ／ＮＡＣＫ情報が、表１に示されるような前記第１の組の４つの利用可能な隣接する副搬送波において符号化され、
前記第３および第４の拡散ＡＣＫ／ＮＡＣＫ情報が、表２に示されるような前記第２の組の４つの利用可能な隣接する副搬送波において符号化され、
前記第１の拡散ＡＣＫ／ＮＡＣＫ情報および前記第３の拡散ＡＣＫ／ＮＡＣＫ情報が、同一の拡散ＡＣＫ／ＮＡＣＫ情報を有し、
前記第２の拡散ＡＣＫ／ＮＡＣＫ情報および前記第４の拡散ＡＣＫ／ＮＡＣＫ情報が、同一の拡散ＡＣＫ／ＮＡＣＫ情報を有する、請求項１５に記載の装置。
【請求項１９】
前記プロセッサは、前記複数のアンテナの４つの利用可能な隣接する副搬送波に関する第５および第６の拡散ＡＣＫ／ＮＡＣＫ情報を符号化するようにさらに構成され、
前記第５および第６の拡散ＡＣＫ／ＮＡＣＫ情報が、表３：
【表９】
2010530170.tif 000009
に示されるような第３の組の４つの利用可能な隣接する副搬送波において送信され、
前記第１の拡散ＡＣＫ／ＮＡＣＫ情報および前記第５の拡散ＡＣＫ／ＮＡＣＫ情報が、同一の拡散ＡＣＫ／ＮＡＣＫ情報を有し、
前記第２の拡散ＡＣＫ／ＮＡＣＫ情報および前記第６の拡散ＡＣＫ／ＮＡＣＫ情報が、同一の拡散ＡＣＫ／ＮＡＣＫ情報を有する、請求項１８に記載の装置。
【請求項２０】
前記アンテナＡおよびＢは、第１の２つの連続して番号付けされたアンテナであり、前記アンテナＣおよびＤは、第２の２つの連続して番号付けされたアンテナである、請求項１５に記載の装置。
【請求項２１】
前記アンテナＡおよびＢは、奇数番号が付けられたアンテナであり、前記アンテナＣおよびＤは、偶数番号が付けられたアンテナである、請求項１５に記載の装置。
【請求項２２】
移動通信システムにおいてＡｃｋｎｏｗｌｅｄｇｅｍｅｎｔ／Ｎｅｇａｔｉｖｅ ａｃｋｎｏｗｌｅｄｇｅｍｅｎｔ（ＡＣＫ／ＮＡＣＫ）情報を受信するように構成されている装置であって、前記装置は、
無線周波数ユニットと、
プロセッサと
を含み、前記プロセッサは、
４つの利用可能な隣接する副搬送波において第１および第２の拡散ＡＣＫ／ＮＡＣＫ情報を受信することであって、前記第１および第２の拡散ＡＣＫ／ＮＡＣＫ情報は、複数のアンテナを介して、送信端から送信される、ことを行うように構成され、
前記第１の拡散ＡＣＫ／ＮＡＣＫ情報は、２の拡散率を有する直交シーケンスを用いて、第１のＡＣＫ／ＮＡＣＫ情報を拡散することから発生し、
前記第２の拡散ＡＣＫ／ＮＡＣＫ情報は、２の拡散率を有する直交シーケンスを用いて、第２のＡＣＫ／ＮＡＣＫ情報を拡散することから発生し、
前記第１および第２の拡散ＡＣＫ／ＮＡＣＫ情報は、表１または２：
【表１０】
2010530170.tif 000010
【表１１】
2010530170.tif 000011
に示されるような形式で複数のアンテナの４つの利用可能な隣接する副搬送波に関する第1および第２のＡＣＫ／ＮＡＣＫ情報を符号化される状態で前記送信端から送信され、
アンテナＡおよびＢは、前記複数のアンテナの２つのアンテナを表し、
アンテナＣおよびＤは、前記複数のアンテナの２つのアンテナを表し、
ａ１〜ａ２およびｂ１〜ｂ２は、それぞれ、前記拡散ＡＣＫ／ＮＡＣＫ情報の要素に関連し、
前記「＊」というシンボルは、共役演算を表す、装置。
【請求項２３】
前記第１の組の４つの利用可能な隣接する副搬送波および前記第２の組の４つの利用可能な隣接する副搬送波は、異なる直交周波数分割多重化（ＯＦＤＭ）シンボルに存在する、請求項２２に記載の装置。
【請求項２４】
前記第１の組の４つの利用可能な隣接する副搬送波および前記第２の組の４つの利用可能な隣接する副搬送波は、周波数領域内で連続していない、請求項２２に記載の装置。
【請求項２５】
前記プロセッサは、前記複数のアンテナの４つの利用可能な隣接する副搬送波に関する第３および第４の拡散ＡＣＫ／ＮＡＣＫ情報を受信するようにさらに構成され、前記第３および第４の拡散ＡＣＫ／ＮＡＣＫ情報は、前記複数のアンテナを介して、前記送信端から送信され、
前記第１および第２の拡散ＡＣＫ／ＮＡＣＫ情報が、表１に示されるような前記第１の組の４つの利用可能な隣接する副搬送波において受信され、
前記第３および第４の拡散ＡＣＫ／ＮＡＣＫ情報が、表２に示されるような前記第２の組の４つの利用可能な隣接する副搬送波において受信され、
前記第１の拡散ＡＣＫ／ＮＡＣＫ情報および前記第３の拡散ＡＣＫ／ＮＡＣＫ情報が、同一の拡散ＡＣＫ／ＮＡＣＫ情報を有し、
前記第２の拡散ＡＣＫ／ＮＡＣＫ情報および前記第４の拡散ＡＣＫ／ＮＡＣＫ情報が、同一の拡散ＡＣＫ／ＮＡＣＫ情報を有する、請求項２２に記載の装置。
【請求項２６】
前記プロセッサは、前記複数のアンテナの４つの利用可能な隣接する副搬送波に関する第５および第６の拡散ＡＣＫ／ＮＡＣＫ情報を受信するようにさらに構成され、前記第５および第６の拡散ＡＣＫ／ＮＡＣＫ情報は、前記複数のアンテナを介して、前記送信端から送信され、
前記第５および第６の拡散ＡＣＫ／ＮＡＣＫ情報が、表３：
【表１２】
2010530170.tif 000012
に示されるような第３の組の４つの利用可能な隣接する副搬送波において受信され、
前記第１の拡散ＡＣＫ／ＮＡＣＫ情報および前記第５の拡散ＡＣＫ／ＮＡＣＫ情報が、同一の拡散ＡＣＫ／ＮＡＣＫ情報を有し、
前記第２の拡散ＡＣＫ／ＮＡＣＫ情報および前記第６の拡散ＡＣＫ／ＮＡＣＫ情報が、同一の拡散ＡＣＫ／ＮＡＣＫ情報を有する、請求項２５に記載の装置。
【請求項２７】
前記アンテナＡおよびＢは、第１の２つの連続して番号付けされたアンテナであり、前記アンテナＣおよびＤは、第２の２つの連続して番号付けされたアンテナである、請求項２２に記載の装置。
【請求項２８】
前記アンテナＡおよびＢは、奇数番号が付けられたアンテナであり、前記アンテナＣおよびＤは、偶数番号が付けられたアンテナである、請求項２２に記載の装置。
【手続補正２】
【補正対象書類名】明細書
【補正対象項目名】００１５
【補正方法】変更
【補正の内容】
【００１５】
これまでの一般的な説明及びこれからの本発明の詳細な説明は、例示的で説明的であり、請求された本発明についてのさらなる説明を提供するために意図されたものである。
例えば、本発明は以下の項目を提供する。
（項目１）
移動通信システムで拡散信号を伝送する方法であって、
拡散率を有する複数の拡散コードを用いて第１信号を拡散し、
上記拡散された第１信号をコード分割多重化方式で多重化し、
上記多重化された第１信号を第１アンテナセットで１つのＯＦＤＭシンボル内の複数の隣接した周波数リソースを通じて伝送し、
拡散率を有する複数の拡散コードを用いて第２信号を拡散し、
上記拡散された第２信号をコード分割多重化方式で多重化し、
上記多重化された第２信号を上記第１アンテナセットで上記ＯＦＤＭシンボル内の複数の隣接した周波数リソースを通じて伝送し、
上記多重化された第１信号を第２アンテナセットで１つのＯＦＤＭシンボル内の複数の隣接した周波数リソースを通じて伝送し、
上記多重化された第２信号を上記第２アンテナセットで上記ＯＦＤＭシンボル内の複数の隣接した周波数リソースを通じて伝送すること、
を含み、
上記多重化された第１信号は、上記多重化された第２信号が伝送される周波数リソースと隣接した周波数リソースを通じて伝送されることを特徴とする拡散信号伝送方法。
（項目２）
上記多重化された第１信号と上記多重化された第２信号は、隣接する２つの周波数リソースを通じてそれぞれ伝送されることを特徴とする、項目１に記載の拡散信号伝送方法。
（項目３）
上記拡散率は２であることを特徴とする、項目１に記載の拡散信号伝送方法。
（項目４）
上記第１アンテナセットは、１つのＯＦＤＭシンボル内で隣接する周波数リソース対のそれぞれに対して空間周波数ブロックコードを適用することによって空間周波数ブロックコーディングされることを特徴とする、項目１に記載の拡散信号伝送方法。
（項目５）
上記第１アンテナセットは、２つのアンテナを含むことを特徴とする、項目４に記載の拡散信号伝送方法。
（項目６）
上記第２アンテナセットは、１つのＯＦＤＭシンボル内で隣接する周波数リソース対のそれぞれに対して空間周波数ブロックコードを適用することによって空間周波数ブロックコーディングされることを特徴とする、項目１に記載の拡散信号伝送方法。
（項目７）
上記第２アンテナセットは、２つのアンテナを含むことを特徴とする、項目６に記載の拡散信号伝送方法。
（項目８）
上記第１アンテナセットを通じて伝送される多重化された信号及び上記第２アンテナセットを通じて伝送される多重化された信号はそれぞれ、互いに異なる周波数リソースを通じて伝送されることを特徴とする、項目１に記載の拡散信号伝送方法。
（項目９）
上記第１アンテナセットを通じて伝送される多重化された信号及び上記第２アンテナセットを通じて伝送される多重化された信号はそれぞれ、互いに異なるＯＦＤＭシンボルを通じて伝送されることを特徴とする、項目１に記載の拡散信号伝送方法。
（項目１０）
上記多重化された第１信号及び上記多重化された第２信号は、上記第１アンテナセットと上記第２アンテナセットを交互に用い、互いに独立した周波数リソースを通じて反復伝送されることを特徴とする、項目１に記載の拡散信号伝送方法。
（項目１１）
上記多重化された第１信号及び上記多重化された第２信号は、上記第１アンテナセットと上記第２アンテナセットを交互に用いて総３回伝送されることを特徴とする、項目１０に記載の拡散信号伝送方法。
（項目１２）
上記第１アンテナセットは、４個のアンテナのうち、第１アンテナ及び第２アンテナを含むことを特徴とする、項目１に記載の拡散信号伝送方法。
（項目１３）
上記第２アンテナセットは、４個のアンテナのうち、第３アンテナ及び第４アンテナを含むことを特徴とする、項目１２に記載の拡散信号伝送方法。
（項目１４）
上記第１アンテナセットは、４個のアンテナのうち、第１アンテナ及び第３アンテナを含むことを特徴とする、項目１に記載の拡散信号伝送方法。
（項目１５）
上記第２アンテナセットは、４個のアンテナのうち、第２アンテナ及び第４アンテナを含むことを特徴とする、項目１４に記載の拡散信号伝送方法。
（項目１６）
上記第１アンテナセット及び上記第２アンテナセットはそれぞれ、１つのアンテナを含むことを特徴とする、項目１に記載の拡散信号伝送方法。